(57)【要約】      （修正有）【課題】ペットが亡くなる事による喪失感・ペットロス症候群などの精神的緩和と遺骨や遺品等を、日常生活や第三者に対しても、違和感無く身近に配置できる外観のぬいぐるい型のペット用骨壷・遺品等の収納・保護カバーの提供をする。【解決手段】ぬいぐるみという外観形状と、２ａ部ジッパーを閉める事で、骨壷・遺品等を外部の視界から遮断し、視覚的違和感を緩和し、身近な日常生活空間に配置が出来る。本体首周り１ｃ部に遺品の首輪または首輪型ネームプレートを装着しペットの名前などの記載の他、写真等を載置するものである。本体外面のぬいぐるみ形状１ａと、１ｂ部の保護素材と２ａ部分のジッパーを閉める事により、左右の揺れや転倒の他、抱きしめるなどの外部接触等の衝撃より保護するものである。【選択図】図２
0003123892.tif 000002
【実用新案登録請求の範囲】
【請求項１】
ペット型のぬいぐるみ形状の背面部に開口部を設けた、収納空間を有する骨壷・遺品等入れ。
前記、ぬいぐるみ内部は、収納部が防水性素材となる。その周り全体をスポンジ材・綿材による衝撃吸収効果による骨壷・遺品等への保護機能を兼ね備えている。ぬいぐるみ型ペット用、骨壷・遺品等収納保護カバー。
前記本体の首周り部分に遺品等の首輪を又は首輪型ネームプレートを装着する事が出来る、ネームプレートには、ペットの名前他写真など載置出来る。
【考案の詳細な説明】
【技術分野】本考案は、ペット用の骨壷、遺品等の収納保護カバーに関し、飼い主の日常生活の配置や第三者への視覚的違和感なども緩和し身近に亡くなったペットを偲ぶ最適なペット用ぬいぐるみ型骨壷・遺品等収納保護カバーに関するものである。
【背景技術】従来、ペットの葬儀や埋葬用具等は人間用の代用が殆どで、ペット専用の形態が少なく、ペット用埋葬施設の数や地理的位置に限りがあり埋葬場所選定にも時間がかかり、また、選択支が少ない。更に、ペットが亡くなった喪失感やペットロス症候群等の解消や精神的ダメージの回復が難しいことが多々ある。
【考案が解決しようとする課題】
従来、亡くなったペットの葬儀・埋葬・礼拝など、人間と同様の形式で行われ、霊園への安置が一般的な形式となっている。
人間と同様の方式は費用も膨大になり霊園の確保、礼拝までの交通手段などのアクセスの問題が多く、今後も需要は増える傾向がある。
ペットを喪失した事による精神的安定を回復する為の期間も個人により差異があり、納骨から埋葬安置までの期間的調整を可能とする方法・用具が必要である。
【課題を解決するための手段】
上記課題の解決の為、本考案は、ぬいぐるみ形状（図１）本体図１の背面図２の開口部より内部に防水収納部を設け、そこにペットの骨壷・遺品等を収納する。
開口部２ａ部のジッパー式の開閉にて止め、ぬいぐるみ生地にて重ね合わし開閉ジッパー部分を生地で覆いジッパー部が見えない形状となる。（背面図２）
図２の内部図１−１ｃ部分には首輪型プレートを装着できネーム版部分に亡きペットの名前や写真などを載置でき、或いは遺品の首輪を装着する事も可能である。
ぬいぐるみの形状は外部１ａ部は布製生地により、内部１ｂ部はスポンジ材・綿材等による衝撃吸収機能を持たせる。内部図２ｂ部分は、防水性素材にて収納部を形成し、外部と内部よりの湿気と水漏れを遮断する。（内部図１・２・収納部図−２ｂ部）
また、外部素材は、布製生地の他、プラスチック等の硬質部材も対応可能である。
外観形状はペットの種類により対応し詳細分類は犬種他、猫・小動物などに対応する。
上記、機能の他、内部図１ｄ部にペットの鳴声を発生する設備等（センサー・スピーカー）の増設搭載も可能である。（内部図１−１ｄ）
【考案の効果】
この事から、本考案は、飼主の日常的身近に亡くなったぺットを一定期間から長期期間において、配置する事が出来る、ぬいぐるみ形状の外観からペットロス症候群などの喪失感や悲壮感の緩和と、第三者への視覚的違和感も回避する事が出来る一定期間配置する事によって、飼主とペットの満足に足り得る埋葬場所を探す期間的余裕と精神的な安定が促される。
【図面の簡単な説明】
【図１】
0003123892.tif 000003
【図２】
0003123892.tif 000004
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
ペット用のぬいぐるみ形状の背面部に開口部を設けた、収納空間を有する骨壷遺品等入れであり、
【請求項２】
前記、ぬいぐるみ内部は、収納部が防水性素材からなりその周り全体をスポンジ材、綿材による衝撃吸収効果による骨壷遺品等への保護機能を兼ね備えている、
【請求項３】
前記本体の首周り部分に遺品等の首輪を又は首輪型ネームプレートを装着する事が出来る、ネームプレートには、ペットの名前他写真など載置も可能とする、
以上からなる、ペット用ぬいぐるみ型、骨壷遺品等入れ。
【手続補正２】
【補正対象書類名】明細書
【補正対象項目名】全文
【補正方法】変更
【補正の内容】
【考案の詳細な説明】
【技術分野】本考案は、ペット用の骨壷、遺品等の収納保護カバーに関し、飼い主の日常生活の配置や第三者への視覚的違和感なども緩和し身近に亡くなったペットを偲ぶ最適なペット用ぬいぐるみ型骨壷・遺品等収納保護カバーに関するものである。
【背景技術】従来、ペットの葬儀や埋葬用具等は人間用の代用が殆どで、ペット専用の形態が少なく、ペット用埋葬施設の数や地理的位置に限りがあり埋葬場所選定にも時間がかかり、また、選択支が少ない。更に、ペットが亡くなった喪失感やペットロス症候群等の解消や精神的ダメージの回復が難しいことが多々ある。
【考案が解決しようとする課題】
従来、亡くなったペットの葬儀・埋葬・礼拝など、人間と同様の形式で行われ、霊園への安置が一般的な形式となっている。
人間と同様の方式は費用も膨大になり霊園の確保、礼拝までの交通手段などのアクセスの問題が多く、今後も需要は増える傾向がある。
ペットを喪失した事による精神的安定を回復する為の期間も個人により差異があり、納骨から埋葬安置までの期間的調整を可能とする方法・用具が必要である。
【課題を解決するための手段】
上記課題の解決の為、本考案は、ぬいぐるみ形状（図１）本体図１の背面図２の開口部より内部に防水収納部を設け、そこにペットの骨壷・遺品等を収納する。開口部２ａ部のジッパー式の開閉にて止め、ぬいぐるみ生地にて重ね合わし開閉ジッパー部分を生地で覆いジッパー部が見えない形状となる。（背面図２）
図２の内部図１−１ｃ部分には首輪型プレートを装着できネーム版部分に亡きペットの名前や写真などを載置でき、或いは遺品の首輪を装着する事も可能である。ぬいぐるみの形状は外部１ａ部は布製生地により、内部１ｂ部はスポンジ材・綿材等による衝撃吸収機能を持たせる。内部図２ｂ部分は、防水性素材にて収納部を形成し、外部と内部よりの湿気と水漏れを遮断する。（内部図１・２・収納部図−２ｂ部）
また、外部素材は、布製生地の他、プラスチック等の硬質部材も対応可能である。外観形状はペットの種類により対応し詳細分類は犬種他、猫・小動物などに対応する。
上記、機能の他、内部図１ｄ部にペットの鳴声を発生する設備等（センサー・スピーカー）の増設搭載も可能である。（内部図１−１ｄ）
【考案の効果】
この事から、本考案は、飼主の日常的身近に亡くなったペットを一定期間から長期期間において、配置する事が出来る、ぬいぐるみ形状の外観からペットロス症候群などの喪失感や悲壮感の緩和と、第三者への視覚的違和感も回避する事が出来る一定期間配置する事によって、飼主とペットの満足に足り得る埋葬場所を探す期間的余裕と精神的な安定が促される。
また、ペットの骨壷・遺品等の収納以外においても、日常のペット用品・食品などの収納や、人間用の収納・置物・玩具品としても使用可能である。
【図面の簡単な説明】
【図１】平面図
【図２】立体図・断面図
【符号の説明】
［図１］＝平面図
１正面図
２背面図
３側面図
［図２］＝立体図・断面図
内部図１立体図正面
１ａ＝布地・１ｂ＝スポンジ材・１ｃ＝プレート板
２ａ＝開閉ジッパー・２ｂ＝ビニール材
内部図２立体図背面
２ａ＝開閉ジッパー・２ｂ＝ビニール材
内部図３立体図・収納部分断面図
２ｂ＝ビニール材
【手続補正書】
【提出日】平成18年3月1日(2006.3.1)
【手続補正１】
【補正対象書類名】実用新案登録請求の範囲
【補正対象項目名】全文
【補正方法】変更
【補正の内容】
【実用新案登録請求の範囲】
【請求項１】
ペット用のぬいぐるみ形状の背面部に開口部を設けた、収納空間を有する骨壷遺品等入れであり、
（１）  前記、ぬいぐるみ内部は、収納部が防水性素材からなりその周り全体をスポンジ材と綿材による衝撃吸収効果による骨壷遺品等への保護機能を兼ね備えており、
（２）  前記本体の首周り部分に遺品等の首輪を又は首輪型ネームプレートを装着する事が出来る、ネームプレートには、ペットの名前、写真など載置も可能となる、
以上からなる、ペット用ぬいぐるみ型、骨壷遺品等入れ。